(57)【要約】  ハードディスク又はＤＶＤなどの記憶装置に、配信チャンネルの映像及び／又は音声信号並びに番組情報を表すデータを格納する方法及び装置。チャンネル変更後、新たなチャンネルの現在の番組情報がモニタに表示される。新たなチャンネル変更が１分以内に行われる場合、チャンネルの番組の番組情報が削除される。チャンネル変更後、現在のチャンネルにおける番組変更が１分以内に行われる場合、古い番組情報が削除され、番組変更後に新たな番組情報と置換される。現在の番組情報が以前に格納された何れかの番組情報と同一である場合、番組情報の新たなエントリは実行されない。
2007518337.tif 000002
【特許請求の範囲】
【請求項１】
ハードディスクやＤＶＤなどの記憶装置に、少なくとも１つのチャンネルの映像及び／又は音声信号並びに番組情報を表すデータを格納する方法であって、
チャンネル変更後、新たなチャンネルの現在の番組情報を格納及び／又は表示するステップと、
新たなチャンネル変更が第１期間内に行われる場合、前記番組情報を隠す及び／又は削除するステップと、
を有することを特徴とする方法。
【請求項２】
請求項１記載の方法であって、さらに、
前記チャンネル変更後、前記現在のチャンネルにおける番組変更が第２期間内に行われる場合、前記番組情報を隠す及び／又は削除するステップと、
前記番組変更後、前記新たな番組情報を格納及び表示するステップと、
を有することを特徴とする方法。
【請求項３】
請求項１又は２記載の方法であって、さらに、
前記現在の番組情報と以前に格納された番組情報とを比較し、前記現在の番組情報が以前に格納された何れかの番組情報と同一である場合、前記現在の番組情報を格納及び表示することをやめるステップを有することを特徴とする方法。
【請求項４】
請求項１乃至３何れか一項記載の方法であって、
前記第１期間は、２分など１〜７分間など０．５〜１０分間であることを特徴とする方法。
【請求項５】
請求項１乃至４何れか一項記載の方法であって、
前記第２期間は、１分など１〜７分間など０．５〜１０分間であることを特徴とする方法。
【請求項６】
請求項１乃至４何れか一項記載の方法であって、
前記第１期間は、前記第２期間と等しい長さであることを特徴とする方法。
【請求項７】
請求項１乃至６何れか一項記載の方法であって、さらに、
映像及び／又は音声信号並びに番組情報の表示を有する編集バーを表示するステップと、
画素毎に１０〜６０秒などの標準的な解像度から画素毎に１秒などの向上した解像度に前記編集バーの解像度を変更し、その反対に画素毎に１秒などの向上した解像度から画素毎に１０〜６０秒などの標準的な解像度に前記編集バーの解像度を変更するステップと、
を有することを特徴とする方法。
【請求項８】
請求項７記載の方法であって、さらに、
前記編集バーに沿ってカーソルを移動させ、該カーソルを加速させるステップを有することを特徴とする方法。
【請求項９】
請求項７又は８記載の方法であって、さらに、
ユーザにより規定された位置に前記編集バーにおけるチャプターマーキングを挿入するステップを有することを特徴とする方法。
【請求項１０】
ハードディスクやＤＶＤなどの記憶装置に、少なくとも１つのチャンネルの映像及び／又は音声信号並びに番組情報を表すデータを格納する装置であって、
番組情報をモニタに表示する表示バーと、
チャンネル変更後、新たなチャンネルの現在の番組情報を前記モニタに表示する手段と、
新たなチャンネル変更が第１期間内に行われる場合、前記モニタ上に表示されている前記番組情報を削除する手段と、
を有することを特徴とする装置。
【請求項１１】
請求項１０記載の装置であって、さらに、
前記チャンネル変更後、前記現在のチャンネルにおける番組変更が第２期間内に行われる場合、前記モニタ上に表示されている前記番組情報を削除する手段と、
前記番組変更後、前記新たな番組情報を表示する手段と、
を有することを特徴とする装置。
【請求項１２】
請求項１０又は１１記載の装置であって、
前記第１期間は、２分など１〜７分間など０．５〜１０分間であることを特徴とする装置。
【請求項１３】
請求項１０乃至１２何れか一項記載の装置であって、
前記第２期間は、１分など１〜７分間など０．５〜１０分間であることを特徴とする装置。
【請求項１４】
請求項１０乃至１２何れか一項記載の装置であって、
前記第１期間は、前記第２期間と等しい長さであることを特徴とする装置。
【請求項１５】
請求項１０乃至１４何れか一項記載の装置であって、さらに、
映像及び／音声信号並びに番組情報の表示を有する編集バーと、
画素毎に１０〜６０秒などの標準的な解像度から画素毎に１秒などの向上した解像度に前記編集バーの解像度を変更し、その反対に画素毎に１秒などの向上した解像度から画素毎に１０〜６０秒などの標準的な解像度に前記編集バーの解像度を変更する手段と、
を有することを特徴とする装置。
【請求項１６】
請求項１０乃至１５何れか一項記載の装置であって、さらに、
前記編集バーにおいてユーザにより規定された位置に挿入されたチャプターマーキングを有することを特徴とする装置。
【請求項１７】
請求項１乃至９何れか一項記載の方法を実行するコンピュータプログラムを含むコンピュータ可読媒体に関する製品。
【発明の詳細な説明】
【技術分野】
【０００１】
本発明は、ハードディスクやＤＶＤなどの記憶装置に映像及び／又は音声信号及び番組情報を表すデータを格納する方法及び装置に関する。
【背景技術】
【０００２】
コンビレコーダ（ｃｏｍｂｉ  ｒｅｃｏｒｄｅｒ）は、ハードディスク上のアナログ又はデジタル映像及び／又は音声を記録し、記録された番組（タイトル）をＤＶＤにアーカイブするオプションを提供する製品又は装置である。さらに、それは拡張された時間シフト機能を有し、過去のナビゲーションをサポートするものであるかもしれない。従来のアナログビデオレコーダは、同時に記録と再生を行うことはできない。
【０００３】
ＷＯ０３／０５１０３０は、例えば、時間シフト機能を有する上述のタイプのコンビレコーダを開示している。
【０００４】
ユーザは、その他のチャンネルが提供しているものを確認するため、異なるチャンネル間を素早く移動することを所望するかもしれない。このような迅速な切り替えは、例えば、映画の休止時にコマーシャルを送信している間に行われてもよい。通常、チャンネルの各切り替え又はシフトは、レコーダが新たなチャンネルから記録を開始し、新たな番組情報が関連するタイトルデータを有して挿入されることを意味する。このようなチャンネル間の切り替えが迅速に行われている間、各チャンネルが数秒間のみ記録されるかもしれない。そのとき、ユーザはおそらくそのようなデータを維持することをどうにかして止めたいため、これらすべてのタイトルデータを維持することは不要又は厄介であるかもしれない。
【０００５】
当該データは、編集バーを用いることにより編集されるかもしれない。ハードディスクが大量のデータを有する場合、編集バーは概観するには大変長く、困難なものであるかもしれない。編集バーに沿って移動されるカーソルは、バーの一方の端から他方の端まで動かすのにかなりの時間を要するかもしれない。
【発明の開示】
【発明が解決しようとする課題】
【０００６】
従って、このような状況を処理し、上述の問題点を軽減するコンビレコーダにおける管理システムが必要とされる。
【０００７】
本発明の課題は、切り替え中の不要な情報が削除され、有用な情報が維持される管理システムを提供することである。
【０００８】
本発明の他の課題は、良好なオーバビューが維持され、カーソルがバーの各パーツの間で容易に移動できるように、編集バーをモニタ上に表示する機能を有する編集バーを提供することである。
【０００９】
上記課題は、添付された特許請求項に規定される方法及び装置により実現される。
【課題を解決するための手段】
【００１０】
本発明の第１の特徴によると、ハードディスクやＤＶＤなどの記憶装置に、少なくとも１つのチャンネルの映像及び／又は音声信号並びに番組情報を表すデータを格納する方法が提供される。本方法は、チャンネル変更後、新たなチャンネルの現在の番組情報を格納及び／又は表示するステップと、新たなチャンネル変更が第１期間内に行われる場合、前記番組情報を隠す及び／又は削除するステップとを有する。
【００１１】
一実施例では、チャンネル変更後、現在のチャンネルにおける番組変更が第２期間内に行われる場合、番組情報の隠蔽又は削除が行われ、これにより、新たな番組情報が、番組変更後に格納及び表示される。
【００１２】
他の実施例では、現在の番組情報が以前に格納された番組情報と比較される。現在の番組情報が以前に格納された何れかの番組情報と同一である場合、それは再び格納及び表示はされない。
【００１３】
前記第１期間は、２分など１〜７分間など０．５〜１０分間であり、前記第２期間は、１分など１〜７分間など０．５〜１０分間である。前記第１期間は、前記第２期間と等しい長さであってもよい。
【００１４】
さらなる他の実施例では、本方法はさらに、映像及び／又は音声信号並びに番組情報の表示を有する編集バーを表示するステップと、画素毎に１０〜６０秒などの標準的な解像度から画素毎に１秒などの向上した解像度に前記編集バーの解像度を変更し、その反対に画素毎に１秒などの向上した解像度から画素毎に１０〜６０秒などの標準的な解像度に前記編集バーの解像度を変更するステップとを有する。カーソルが、加速したスピードにより編集バーに沿って移動されてもよい。さらに、チャプターカーキングは、編集バーにおいてユーザにより規定された位置に挿入されてもよい。
【００１５】
本発明の他の特徴では、ハードディスクやＤＶＤなどの記憶装置に、少なくとも１つのチャンネルの映像及び／又は音声信号並びに番組情報を表すデータを格納する装置が提供される。本装置は、番組情報をモニタに表示する表示バーと、チャンネル変更後、新たなチャンネルの現在の番組情報を前記モニタに表示する手段と、新たなチャンネル変更が第１期間内に行われる場合、前記モニタ上に表示されている前記番組情報を削除する手段とを有する。
【００１６】
一実施例では、本装置はさらに、前記チャンネル変更後、前記現在のチャンネルにおける番組変更が第２期間内に行われる場合、前記モニタ上に表示されている前記番組情報を削除する手段と、前記番組変更後、前記新たな番組情報を表示する手段とを有する。
【００１７】
前記第１期間は、２分など１〜７分間など０．５〜１０分間であり、前記第２期間は、１分など１〜７分間など０．５〜１０分間であってもよい。前記第１期間は、前記第２期間と等しい長さであってもよい。
【００１８】
他の実施例では、本装置はさらに、映像及び／音声信号並びに番組情報の表示を有する編集バーと、画素毎に１０〜６０秒などの標準的な解像度から画素毎に１秒などの向上した解像度に前記編集バーの解像度を変更し、その反対に画素毎に１秒などの向上した解像度から画素毎に１０〜６０秒などの標準的な解像度に前記編集バーの解像度を変更する手段とを有する。さらに、チャプターマーキングは、前記編集バーにおいてユーザにより規定された位置に挿入されてもよい。
【００１９】
さらなる特徴では、上記方法を実行するコンピュータプログラムを含むコンピュータ可読媒体に関する製品が提供される。
【発明を実施するための最良の形態】
【００２０】
本発明によるコンビレコーダの特徴の一部は、
・連続記録及び時間シフト
・同時記録及び再生
・タイトル編集
・タイトル再生
・リアルタイムより高速なＤＶＤへのアーカイブ処理
・ハードディスクの自動的クリーンアップ
・コンテンツテーブル
これらすべての特徴が以下で概略される。
【００２１】
連続記録及び時間シフト
コンビレコーダの１つの主要な特徴は、それが常時記録を行っているということである。それはカメラから記録を行うことが可能であるが、通常はライブのテレビ信号を記録する。コンビレコーダは、ユーザの切り替え動作に従って、視聴中のものを記録するかもしれない。視聴中のものの最後のｎ時間（ｎ＝１，２，３，６）が記録され、ユーザが以降に番組をセーブすることが可能となる。当該セットはいわゆる連続バッファに記録され、ｎ時間前に記録された映像を破棄（流出）しながら、記録されたコンテンツ（すなわち、映像のみ）がバッファに流入する。各切り替え及び各番組移行は、連続バッファにおけるタイトルの始めと終わりを合図する。番組移行は、ＥＰＧ又はテレテキストにより通知されるようにしてもよい。このような情報はまた、インターネットから抽出されてもよい。
【００２２】
連続バッファは、タイトル境界を示すマーカーによりバーとして画面上にグラフィカルに表示される、このようなバーは、時間シフトバー、すなわちＴＳＢと呼ばれる。ＴＳＢは、記録されたものの最後のｎ時間を表す。ＴＳＢの１つの画素は、記録されたコンテンツのｍ秒を表すかもしれない（ｍ＝１０，２０，３０又は６０秒）。再生ポインタは、リアルタイムによりＴＳＢにおける位置を示す。ＴＳＢが１６：００〜１９：００の記録されたコンテンツを示しているとする。再生ポインタが１７：４５に配置されているとき、それは、当該時刻に記録されたものを示す。
【００２３】
ＴＳＢは、タイトルマーカーにより分離されるいくつかのタイトルを含む。ＴＳＢのタイトルは、ジャンル（映画、スポーツ、子供など）を反映する特定の色を有する。
【００２４】
再生されている映像が、ＴＳＢの後ろに示される。ＴＳＢは、当該セットが通常再生モードにあるとき、タイムアウト後に消える。トリックモードでは、ＴＳＢは表示されたままとなる。
【００２５】
ユーザがＴＳＢをナビゲートすることが可能な様々な方法がある。
・リモコンの専用キーを用いてタイトルマーカーにジャンプする。
・画素単位でナビゲートするため、左右の矢印キーを使用する。左右の矢印キーが押下され続けると、再生ポインタの動きを加速させるアルゴリズムがある。そのアイデアは、妥当な時間でバッファ全体をカバーするということである。
・ＴＳＢの前後のタイトルを選択するため、上下の矢印キーを使用する。
・タイトルの始めからの再生の開始は、１つの（ソフト）キーにより実行することが可能である。タイトルの何れかに再生ポインタを配置し、「スタートからの再生」を押下する。
・タイトルが、１つのキーを押下することによりセーブすることができる（すなわち、それらがバッファから消えるとき、消失することが回避される）。タイトルの一部もまたセーブすることが可能であるが、複数又は長めのキーの押下によって行われる。
・「スマートＯＴＲ」機能は、１つのキーの押下が繰り返されることによりセーブするため、ＴＳＢの連続するタイトルをマークする。
・早送り再生又はナビゲートされることにより、ＴＳＢのエンドに達すると、システムは、ライブのテレビ信号を再び表示する（「キャッチアップ」機構）。
・タイトルが垂直的なリストにリストされるＴＳＢの拡大されたオーバビューを示すことが可能である。当該リスト内をナビゲートするため、上下の矢印キーが使用可能であるとき、それらはまた、標準的なＴＳＢにおいて使用することができる。
【００２６】
切り替えについての数ワード及びタイトルマーカー：ユーザがチャンネルを素早く切り替え、当該セットがこの切り替え動作に従うとき、適切に表示することができないだけでなく、ユーザにとって有用でないかもしれない多数の大変小さなタイトルがもたらされる。従って、タイトルマーカーは、当該セットがある期間同じチャンネルに合わせられる場合に限って設定される。複雑な要因は、ＥＰＧにより提供される番組移行情報であるかもしれない。通常、タイトルマーカーは、各番組移行時に挿入される。しかしながら、番組移行が切り替え直後に行われた場合、大変小さなタイトルしかもたらされない。これを回避するための手段がとられた。
【００２７】
同様に、すでに記録された番組の詳細を表示する拡張されたＴＳＢ画面（オーバビュー画面）が表示される場合、切り替えは完全な番組詳細を即座に示す。ユーザがタイムアウト期間内に切り替えを止める場合、当該番組詳細は置換、削除又は隠される。
【００２８】
事態をさらに複雑にするため：ユーザがチャンネルＸにいて、チャンネルＹ、Ｚに切り替えを行い、その後、Ｘに戻ると、タイトルマーカーは挿入されず、システムはそれが同じチャンネルに現在いることを検出する。
【００２９】
要約すると、本発明によるコンビは、以下の特徴を提供する。
・素早く切り替えられると、タイトルマーカーを設定する。
・切り替え後すぐに番組移行が行われると、タイトルマーカーを設定する。
・素早く切り替えが行われると、拡張されたオーバビューに完全な番組詳細を表示し、隠す。
・素早い切り替えが終了し、戻った後、番組を認識する。
・矢印キーを加速する。
・連続バッファのグラフィカルな表示（ＴＳＢ）
・スマートＯＴＲを含むセーブ用の番組をマークする。
・ライブのテレビを視聴しているとき、あるシーンを再生する、すなわち、記録継続中に「巻き戻し」を行うことが可能である。
【００３０】
同時記録及び再生
コンビレコーダが常時記録を行っているため、同時に記録と再生を行うことが可能である。これに関する再生は、
・ハードディスクから以前に記録されたタイトルを再生する。
・（予め記録された）ＤＶＤを再生する。
・まだＴＳＢにあるタイトルを再生する。
・現在記録中のタイトルを再生する。
・ハードディスクからＤＶＤにタイトル（タイトル群）をアーカイブする。
ことから構成される。
【００３１】
タイトル編集
タイトルは、いくつかのチャプターを含むことが可能である。チャプターとは、タイトルの一部に過ぎないものであるかもしれない。各チャプターは、チャプターマーカーにより分離されている。タイトルを記録するとき、チャプターマーカーが、例えば、映像における各シーン変更において、５分ごと、より所望されるようになど、自動的に付加することができる。（デジタルカメラから記録するとき、チャプターマーカーは記録日時に基づき実際に生成される。）
タイトル編集は、
・タイトル名を変更する。
・ジャンル（映画、スポーツ、ニュースなど）を変更する。
・ジャンルを追加する（例えば、カメラ記録用など）。
・チャプターマーカーを挿入及び削除する。
・チャプターを隠し、表示する。
・キーフレームを選択する。
・タイトルを２つの部分に分割する。
・タイトルの「シーン」状態を変更する。
・元のタイトルを復元する。
ことから構成される。
【００３２】
チャプターマーカーは、タイトル内の任意のポイントに挿入することが可能である。チャプター全体（２つのマーカー間の部分）が「ハイライト」することができ、これは、タイトル再生時に、それらが表示又は隠される（非表示）ことを意味する。
【００３３】
キーフレームは、コンテンツテーブル（ＴＯＣ）のタイトルを視覚的に表示するのに使用される。キーフレームは、特定のアルゴリズムを利用して（ＤＶＤレコーダ上でキーフレームを生成することと同様に）、システムにより映像から自動的に選択される。ユーザは、キーフレームとして他の画面ショットを選択することが可能である。
【００３４】
１分間など特定の期間又は８５％など特定量以上再生が行われると、タイトルは「視聴済み」とマークされる。この標識は、自動的なディスククリーンアップにおいて使用される。
【００３５】
編集時、タイトルを表示する編集バーが示される。チャプターマーカーが表示され、隠されているチャプターは、異なる色により提示される。タイトル再生時、隠されているセクションの映像は暗めにされ、あるいはそうでない場合には、「再生中に表示せず」と示される。解像度が画素毎に１０〜６０秒から画素毎に１秒に変化するように、編集バーのズームイン及びアウトを行うアルゴリズムがある。編集バーの解像度が画素毎にｘ秒であるが、映像コンテンツを検索することによって、正確な画面ショットを検出することが依然として可能である。矢印キーは１つの画素だけ進むが、例えば、映像が一時停止されると、１フレームに一時停止キーを数回を押下する。
【００３６】
編集バーのナビゲートは、再生と同様にして実行することが可能である。
【００３７】
タイトル再生
タイトルが以前に記録されたタイトル、又は依然としてＴＳＢに存在するタイトルである場合、当該タイトルを再生することが可能である。タイトル再生時、ユーザにはタイトルを表示する再生バーが提示される。いくつかのチャプターが隠されているとき、それらは再生バーには表示されず、再生されない。それは、あたかもこれらのチャプターが存在しないようである。チャプターマーカーは、再生バーに示される。
【００３８】
当該再生バーにおけるナビゲーションは、
・チャプターマーカーにジャンプする。
・ユーザにより規定された秒数をスキップする（例えば、コマーシャルをスキップし、異なる間隔により早送り及び巻き戻しが可能であるなど）。
・画素単位で移動し、矢印キーが押下され続けると、加速する。
・再生バーの解像度が画素毎にせいぜい１０秒となるが、フレーム毎に移動する。
・通常のトリックモード：高速及び低速先送り及び巻き戻し。
から構成される。
【００３９】
ジャンプにおける数ワード：チャプターマーカーまでジャンプするとき、又は所定の秒数ジャンプするとき、再生モードが再開される。言い換えると、当該セットが早送り再生していたとき、それはジャンプ後に早送り再生を回復する。それは想定される動作であるが、再生方向に反対にジャンプするとき、いくつかの問題が生ずる。ユーザが早送り再生を行い、「前のマーカーにジャンプ」を押下すると仮定する。そのとき、再生モードは回復され、次の「前のマーカーにジャンプ」は同一のマーカーに戻ることとなる。それを回避するためいくつかの方法がある。
・再生モードを再開する前に、所定の秒数映像を一時停止する。これは、ユーザにコマンドを繰り返す時間を与える。
・ある期間内に同じジャンプキーが再び押下されると、ちょうどアクセスされているマーカーをスキップする。
・ジャンプキーを押下し続け、ある期間各マーカーにおいて待機する。これは、ユーザに遅れずにキーをリリースする時間を与える。
【００４０】
アーカイブ処理
アーカイブ処理は、ハードディスクからＤＶＤにタイトル（タイトル群）を書き込む処理である。ユーザは、アーカイブ対象となるタイトルがＤＶＤ上の何れに格納されねばならないか示すことができ、すなわち、以前にアーカイブされた何れのタイトルが上書きされるか示すことができる。あるいは、アーカイブ対象となるタイトルは、ＤＶＤのエンドに添付することが可能である。システムは、アーカイブ処理の開始前、ＤＶＤに十分なスペースが存在するか検出する。アーカイブ処理実行中、ＯＳＤは当該処理のあとどれくらいの時間がかかるか示し、すなわち、それはアーカイブ処理が完了することが推測される時間から０までカウントダウンされる。しばらくの間、ユーザはライブのテレビ信号を視聴することが可能であり、また切り替えすることも可能であるが、通常は時間シフトはできない。時間シフトは、２つのタイトルを同時に再生することを意味し、１つは時間シフトバッファからであり、他方はアーカイブ処理中のものである。
【００４１】
ハードディスクのクリーンアップ
当該セットのディスクスペースが不足する場合、それはハードディスクから自動的にタイトルを削除する。利用されるアルゴリズムは、ユーザによりすでに視聴されたタイトル（「視聴済み」プロパティ）から始まり、最も古いタイトルが最初に削除されるというものである。各タイトルは、「プロテクト」に設定することによって、コンテンツテーブルから削除されることをプロテクトすることができる。
【００４２】
コンテンツテーブル
コンテンツテーブル（ＴＯＣ）は、ハードディスク上にあるタイトルのリストである。ＴＳＢに存在し、セーブ用にマークされているタイトルもまた、ＴＯＣに存在する。
【００４３】
タイトルは、いくつかの方法によりソートすることが可能である。
・アルファベット順
・時間順（すなわち、記録日により）
・直近に再生された順
・削除される順
・そして、タイトルリストは、
・プロテクトされたタイトル
・あるジャンルによるタイトル
・視聴されていないタイトル
・削除されるタイトル（リストはまた時間順にソートされている）
を単に表示することによりいくつかの方法によりフィルタリングすることが可能である。
【００４４】
フィルタリングされたリストはまた、ユーザにより規定された方法によりソートすることができる。
【００４５】
ＴＯＣにおいて、タイトルが「選択」される必要があり、その後、ユーザにより処理が選択可能である、このような処理は、削除、アーカイブ、チャイルドロック、プロテクトを含む。
【００４６】
コンビレコーダは、より高度な機能を有するため、従来のＶＣＲ又はＤＶＤレコーダの後継として利用することができる。
【００４７】
図面
図１は、ＴＳＢ１０を有する画面の一例を示す。左の１１には、ＴＳＢの開始時間（１６：００）が示され、右の１２には、ＴＳＢの終了時間（１９：００）が示される。それは実際の時間又はＴＳＢが終了する時間であってもよい。本実施例では、コンビレコーダがオン時には常に記録を行っているため、終了時間は常に実際の時間である。ＴＳＢ１０は、各々が番組を表すセグメント１３に分割される。ＴＳＢの上方には、「Ｇｉｌｌｅｔ（スポーツ雑誌）」などの番組のタイトル（の一部）を示すフィールド１４がある。再生カーソル１５が、再生カーソル１５の下に示される時刻１８：０３における「Ｓｅｓａｍ  ｓｔｒａ」という番組の中央に示される。ＴＳＢ１０の下方には、メニューライン１６と１７がある。メニューライン１６は、［ＲＥＴＵＲＮ］、［ＳＴＯＰ］、［ＲＥＣＯＲＤ］、［ＰＬＡＹ］などの各選択肢を示す。第２のメニューライン１７は、ＡＵＤＩＯ  Ｉ／ＩＩ  ＳＴＯＰ  ＲＥＣ  ＰＬＡＹ  ＦＲ  ＳＴ（スタートから再生）、ＭＯＲＥ  ＩＮＦＯなどの他の選択肢を示す。これらのメニュー選択肢は、例えば、リモコンなどによりユーザによって選択されてもよい。再生カーソルは、ＴＳＢ１０上の異なる位置に移動され、これにより、特定の番組又は再生位置を選択するようにしてもよい。０３  ＮＥＤ  ２  ＳＥＳＡＭＳＴＲＡＡＴなどのカーソルにより示される番組タイトルに関する情報を含むさらなるメニューライン１８が、画面の上部に示される。さらに、メニューライン１８は、一時停止ボタン１９を含む。
【００４８】
図２は、図１と同様の画面であるが、番組タイトルの拡大された情報を有する。番組がテーブル２１にリストされ、これにより、カーソルに示される番組がＴＳＢの右上に示される。さらに、当該テーブルには、番組タイトルの記録開始時間が与えられる。コンビレコーダは通常は常に記録を行っているため、タイトルの終了時間は、次の番組タイトルの開始時間と同じになる。このリアルタイム性は、信号が失われるときでさえ常に維持される。そのとき、レコーダは何も記録せず、とりあえずそれをＴＳＢに格納する。
【００４９】
図３は、図１と同一の詳細を拡大して示す。
【００５０】
図４は、番組にチャプターマーカーなどのマーカーを挿入する編集バー４０を示す。画面は、ＲＷ  ＳＨＲＥＨ  ＥＤＩＴ  ＭＯＤＥを示す上方のメニューライン４０を有する。さらに、２つのメニューライン４６と４７がある。メニューライン４６は、［ＯＫ］＝挿入マーカーを有し、メニューライン４７は、ＤＩＶＩＤＥ  ＭＥＲＧＥ  ＡＰＰＥＮＤ  ＨＩＤＥを有する。
【００５１】
図５は、ＨＤＤ  ＶＩＤＥＯ  ＲＥＰＥＡＴ  ＳＴＯＰを有する上部のメニューライン５８と、ＰＬＡＹ  ＥＤＩＴ  ＯＫ＝ＰＬＡＹ及びＳＣＡＮ  ＳＨＵＦＦＬＥ  ＲＥＰＥＡＴ  ＲＥＰＥＡＴ  Ａ／Ｂを有する２つの下部のメニューライン５６と５７を有する他の画面を示す。
【００５２】
本発明が具体的な実施例を参照して上述されたが、それはここに与えられるような特定の形態に限定されるものではない。むしろ、本発明は、添付した請求項によってのみ限定されるものであり、上記特定の実施例以外の他の実施例もまた、添付された請求項の範囲内に等しく可能である。
【００５３】
請求項では、「有する」という用語が、他の要素又はステップの存在を排除するものではない。さらに、個別にリストされているが、複数の手段、要素又は方法ステップが、１つのユニット又はプロセッサなどにより実現されてもよい。さらに、各特徴は異なる請求項に含まれるかもしれないが、これらはおそらく効果的に組み合わせることが可能であり、異なる請求項に含めることは、各特徴の組み合わせが、実現可能及び／又は効果的でないことを意味するものではない。さらに、単数形による表現は複数を排除するものではない。「ある」、「第１の」、「第２の」などは、複数を排除するものではない。請求項における参照符号は、明確にするための例として単に与えられ、請求項の範囲を限定するものと解釈されるべきではない。
【図面の簡単な説明】
【００５４】
【図１】図１は、画面ダンプであり、時間シフトバッファの画面表示の一例を示す。
【図２】図２は、図１と同様の画面ダンプであり、時間シフトバッファの画面表示のさらなる例を示す。
【図３】図３は、図１と同様の画面ダンプであり、時間シフトバッファの詳細な画面表示を示す。
【図４】図４は、図１と同様の画面ダンプであり、時間シフトバッファの画面表示のさらなる例を示す。
【図５】図５は、図１と同様の画面ダンプであり、時間シフトバッファの画面表示のさらなる例を示す。
【図１】
2007518337.tif 000003
【図２】
2007518337.tif 000004
【図３】
2007518337.tif 000005
【図４】
2007518337.tif 000006
【図５】
2007518337.tif 000007
【国際調査報告】
2007518337.tif 000008
2007518337.tif 000009
2007518337.tif 000010
2007518337.tif 000011